(57)【要約】【課題】視聴者が番組を視聴中に生物学的データを収集・分析し、計測した生物学的データの時系列毎の推移から感情や体調の変化を表す感情パラメータを算出し、電子番組表にアイコン表示することが可能になるテレビジョン信号受信機を提供する。【解決手段】番組視聴中に選局装置に接続された計測器で生物学的データを計測した結果を計測データ分析装置送信し、計測データ分析装置で感情パラメータを算出する。その後テレビジョン送信装置に送信してＥＰＧ情報に感情パラメータを付加する。テレビジョン信号送信装置でＥＰＧ情報を重畳したテレビジョン放送信号を送信し、テレビジョン受信装置は受信復調して、電子番組表または視聴中の番組の映像に感情パラメータをアイコン表示する。【選択図】  図１
2004357173.tif 000002
【特許請求の範囲】
【請求項１】
電子番組表（以後、ＥＰＧと省略）情報を含むテレビジョン放送信号を受信する選局装置であって、前記テレビジョン放送信号を受信復調して映像信号を出力する受信復調手段と、前記受信復調手段からの映像信号からＥＰＧ情報を抽出する抽出手段と、選局装置に接続された計測器を制御するための計測器制御手段と、前記計測器制御手段からのアクセス要求又はユーザーからのアクセス要求に基づいて、計測データ分析装置へのアクセスを行うネットワーク制御手段と、赤外線リモコン（図示せず）にてユーザーからの要求を受信するリモコン信号受信手段を具備することを特徴とする選局装置。
【請求項２】
選局装置で計測された生物学的データを収集するためにアクセスするためのネットワーク制御手段と、前記ネットワーク制御手段によって収集した生物学的データから番組の感情パラメータとして算出する感情パラメータ算出手段と、生物学的データと感情パラメータとを保存する感情パラメータ保存手段を持つことを特徴とする計測データ分析装置。
【請求項３】
計測データ分析装置に蓄積された感情パラメータをインターネット経由で取得するネットワーク制御手段と前記ネットワーク制御手段によって得られた感情データを少なくとも含むＥＰＧ情報を生成するＥＰＧ情報生成手段と、映像信号と前記ＥＰＧ情報生成手段からのＥＰＧ情報を多重化してテレビジョン放送信号を形成する多重化手段と、前記多重化手段からのテレビジョン放送信号を送信する送信手段とを備えることを特徴とするテレビジョン信号送信装置。
【請求項４】
計測データ分析サーバに蓄積された感情パラメータをインターネット経由でアクセスして取得するためのネットワーク制御手段と前記ネットワーク制御手段によって取得した感情パラメータを少なくとも含むインターネット放送用ポータルサイトを作成するポータルサイト作成手段と、前記ポータルサイト作成手段からのポータルサイトを表示するポータルサイト表示手段とを備えることを特徴とするインターネット放送ポータル用装置。
【請求項５】
ＥＰＧ情報に含まれる感情パラメータをＥＰＧ表示中や番組視聴中の画面にアイコン表示する表示手段を更に備えたことを特徴とする請求項１記載の選局装置。
【請求項６】
請求項１乃至請求項５に記載の選局装置と、請求項２に記載の計測データ分析装置と、請求項３に記載のテレビジョン信号送信装置と請求項４に記載のインターネット放送ポータル用装置から構成されることを特徴とするテレビジョン信号送受信システム。
【請求項７】
感情パラメータを含むＥＰＧ情報を多重化した映像信号を送信する第１のステップと、前記第１のステップからの映像信号を受信する第２のステップと、前記第２のステップにおいて受信された映像信号からＥＰＧ情報を分離して感情パラメータを取得して表示を行う第３のステップと、番組視聴中に計測器にて生物学的データを計測し、計測結果を計測データ分析装置に送信する第４のステップと、前記第４のステップからの生物学的データを分析し、感情パラメータを算出する第５のステップと、前記第５のステップからの感情パラメータを含むＥＰＧ情報やポータルサイトを生成する第６のステップを具備することを特徴とするテレビジョン信号送受信方法。
【発明の詳細な説明】
【０００１】
【発明の属する技術分野】
本発明は、視聴者の人体の脳波、血圧、呼吸数などの生物学的データを計測・収集・分析して、番組毎の感情パラメータを作成し番組選局を行うためのテレビジョン放送受信方法に関するものである。
【０００２】
特にテレビジョン放送受信装置にて生物学的データを計測した結果から計測データ分析装置で感情パラメータを生成する感情パラメータ生成手段とテレビジョン放送受信装置に関する。
【０００３】
【従来の技術】
生物学的データを利用した音響機器として、人の生理的ないし心理的な緊張を有効に緩和させ得る音空間を形成する音環境制御方法について記述されている。（例えば特許文献１参照）
人の脳波は脳の活動、従って生理的ないし心理的な安定状態を表すことが一般的に知られている。一般的にα波の多く出ている状態がリラックスしている状態といわれており、１／ｆゆらぎ雑音を重畳した音刺激を与えると、α波の発生率が増加して人がリラックスした状態になる傾向をもっている。
【０００４】
前記特許において、かかる性質に着目して従来いわゆるバックグラウンドミュージックに１／ｆゆらぎ雑音を重畳することによって人の音環境を制御する手法が用いられている。
【０００５】
【特許文献１】
特開平０２−１３４１６４号公報
【０００６】
【発明が解決しようとする課題】
前述の特開  平０２−１３４１６４号公報の音響装置において１／ｆゆらぎ雑音を重畳させる方法によって、人をリラックスした状態にする方法が発明されているが、映画やニュースなどの放送のコンテンツに対して、１／ｆ揺らぎ雑音を重畳することはコンテンツの内容に変更を加えることになり困難である。
【０００７】
このため、視聴者が番組を視聴している期間に生物学的データを収集・分析し、視聴者の生物学的データの時系列の推移から感情や体調の変化を表す感情パラメータを算出し、電子番組表にアイコン表示し、番組選局が可能になるテレビジョン信号受信機を提供する。
【０００８】
【課題を解決するための手段】
本発明の請求項１に係る選局装置は、ＥＰＧ情報を含むテレビジョン放送信号を受信する選局装置であって、テレビジョン放送信号を受信復調して映像信号を出力する受信復調手段と、受信復調手段からの映像信号からＥＰＧ情報を抽出する抽出手段と、選局装置に接続された生物学的データの計測器を制御する計測器制御手段と、前記計測器制御手段からのアクセス要求又はユーザーからのアクセス要求に基づいて、計測データ分析装置へのアクセスを行うネットワーク制御手段とを具備する。
【０００９】
また、本発明の請求項２に係る計測データ分析装置は、計測された生物学的データを収集するために選局装置にアクセスするネットワーク制御手段と、前記ネットワーク制御手段によって収集した生物学的データから番組毎の感情パラメータを算出する感情パラメータ算出手段と、収集した生物学的データと感情パラメータを保存するデータ保存手段を持つことを特徴とする。
【００１０】
また、本発明の請求項３に係るテレビジョン信号送信装置は、保存された感情パラメータを取得するために計測データ分析装置にアクセスするネットワーク制御手段と、前記ネットワーク制御手段からの感情パラメータを少なくとも含むＥＰＧ情報を生成するＥＰＧ情報生成手段と、映像信号と前記生成手段からのＥＰＧ情報を多重化してテレビジョン放送信号を形成する多重化手段と、前記多重化手段からのテレビジョン放送信号を送信する送信手段とを備えることを特徴とする。
【００１１】
また、本発明の請求項４に係るインターネット放送ポータル用装置は、保存された感情パラメータを取得するために計測データ分析サーバにアクセスするネットワーク制御手段と前記ネットワーク制御手段によって取得した感情パラメータを少なくとも含むインターネット放送用ポータルサイトを作成するポータルサイト作成手段と、前記ポータルサイト作成手段からのポータルサイトを表示するポータルサイト表示手段とを備えることを特徴とする。
【００１２】
また、本発明の請求項５に係る選局装置は、請求項１の構成において、ＥＰＧ情報および番組視聴中に感情パラメータを画面上にアイコン表示する感情パラメータ表示手段を更に備えたことを特徴とする。
【００１３】
また、本発明の請求項６に係るテレビジョン信号送受信システムは、請求項１乃至請求項５に記載の選局装置と、請求項２に記載の計測データ分析装置と、請求項３に記載のテレビジョン信号送信装置と請求項４に記載のインターネット放送ポータル用装置から構成されることを特徴とする。
【００１４】
また、本発明の請求項７に係るテレビジョン信号送受信方法は、感情パラメータを含むＥＰＧ情報を多重化した映像信号を送信する第１のステップと、前記第１のステップからの映像信号を受信する第２のステップと、前記第２のステップにおいて受信された映像信号からＥＰＧ情報を分離して感情パラメータを取得する第３のステップと、番組視聴中に計測器により生物学的データを計測し、計測結果を計測データ分析装置に送信する第４のステップと、前記第４のステップからの生物学的データを分析し、感情パラメータを算出する第５のステップと、前記第５のステップからの感情パラメータを含むＥＰＧ情報やポータルサイトを作成する第６のステップを具備することを特徴とする。
【００１５】
【発明の実施の形態】
図１は、本発明の実施の形態によるテレビジョン信号送受信システムの構成を示すブロック図である。テレビジョン信号送受信システムは、選局装置１００とテレビジョン信号送信装置２００と計測データ分析装置３００とインターネット放送ポータル用装置から構成される。
【００１６】
図２は、本発明の実施の形態による選局装置の構成を示すブロック図である。選局装置１００は、チューナ１１と、多重分離部１２と、ネットワーク入出力部１３と、切替・合成部１４と、表示部１５と、ＣＲＴ１６と、計測器制御部１７と、リモコン信号受信部１８と、入出力情報制御部１９から構成される。
【００１７】
チューナ１１は、指定されたテレビ放送チャンネルのテレビジョン放送信号を受信復調し、音声信号を音声出力処理部（図示せず）を介してスピーカ（図示せず）に出力すると共に、映像信号を多重分離部２２及び切替・合成部２４に出力する。多重分離部２２は、チューナ２１からの映像信号から文字放送用の文字データ信号やＥＰＧ情報を抽出して入出力情報制御部１９に出力する。
【００１８】
ネットワーク入出力部１３は、入出力情報制御部１９からのＵＲＬアクセス要求に基づき、選択されたＵＲＬを持つインターネット放送ポータル装置や計測データ分析装置にアクセスする。
【００１９】
切替・合成部１４は、ユーザーからの要求に従いブラウザとＥＰＧと映像信号との表示の切り替えや合成を行う。具体的には指定されたＵＲＬのインターネット放送のインターネット用ポータル装置にアクセスしたい場合、ユーザーはリモコンに具備されているインターネットアクセスするためのキーを押下して、リモコン信号が後述のリモコン信号受信部１８にて受信されて、入出力制御部１９のワークＲＡＭ上に保存されているＵＲＬのポータルサイトへアクセスして、ブラウザで表示する。またポータルサイトから視聴したい番組のＵＲＬを選択した場合は、選択したＵＲＬにアクセスして受信した放送番組の映像信号に表示を切り替える。またブラウザにてホームページを閲覧中にリモコンに具備されている映像信号に復帰するためのキーを押下した場合はインターネット放送番組を終了し、最後に選局していた放送番組の映像信号に表示を切り替える。またブラウザと映像の２画面表示やＰｉｎＰ表示処理機能を具備する。表示部１５は、所定の方法にて映像をＣＲＴ１６に表示する。ＣＲＴ１６は、表示部１５からの映像信号及び／又はホームページを画面表示する。
【００２０】
計測器制御部１７は、選局装置に接続された脳波計１０１、血圧計１０２などの計測器を制御し、視聴者の生物学的データの計測と収集と計測を行う。
【００２１】
リモコン信号受信部１８は、赤外線リモコン（図示せず）を介してユーザーからの要求を受信する。  入出力情報制御部１９は、後述するワークＲＡＭ１９ｃにＥＰＧ情報と視聴者の生物学的データを保存し、計測データ分析装置に送信する。またＥＰＧ情報や感情パラメータを表示し、視聴者の生物学的データから体調や感情にあった番組をリストアップする。
【００２２】
図３は、本発明の実施の形態によるテレビジョン信号送信装置と、計測データ分析装置と、インターネット放送用ポータル装置の構成を示すブロック図である。
【００２３】
テレビジョン信号送信装置２００は、ネットワーク入出力部２１と、テレビジョン信号発生部２２と、電子番組表生成部２３と、マルチプレクサ２４と、送信部２５から構成される。
【００２４】
ネットワーク入出力部２１は、後述する計測データ分析装置３００にアクセスして、番組単位で選局装置から得られた感情パラメータを取得する。電子番組表生成部２２は、電子番組表を生成するために必要なＥＰＧ情報を生成する。テレビジョン信号発生部２３は、映像信号及び音声信号を生成増幅する。マルチプレクサ２４は、テレビジョン信号発生部２３からの映像信号と電子番組表生成部２２からのＥＰＧ情報を多重化する。送信部２５は、マルチプレクサ２４からの映像信号と音声信号を選局装置１００へ送信する。
【００２５】
前述のＥＰＧ情報は、テレビ放送番組の開始時刻、終了時刻、番組説明及び感情パラメータを少なくとも含んでおり、テレビジョン信号送信装置１００側で電子番組表や視聴中の番組の映像に感情パラメータをアイコン表示し、視聴者の体調に合わせた番組をリストアップすることが出来る。
【００２６】
計測データ分析装置３００は、ネットワーク入出力部３１と、データ処理部３２と、データ蓄積部３３から構成される。
【００２７】
ネットワーク入出力部３１は、インターネット放送ポータル装置やテレビジョン信号送信装置からアクセスがあった場合に各装置との通信を確立する。データ処理部３２は、各選局装置からのデータを分析し、パラメータを後述するデータ蓄積部３３に保存する。
【００２８】
インターネット放送ポータル用装置４００はネットワーク入出力部４１と、ポータルサイト表示部４２と、ポータルサイト作成部４３から構成される。
【００２９】
ネットワーク入出力部４１は、インターネット放送用ポータル装置やテレビジョン信号送信装置からアクセス要求に応じて各装置との通信を確立する。ポータルサイト表示部４２は、後述するポータルサイト作成部４３にて作成されたインターネット放送番組の一覧を記述したポータルサイトを表示する。ポータルサイト作成部４３では少なくともインターネット放送番組のＵＲＬと、放送の所要時間と、番組説明と、計測データ分析装置からの感情パラメータを含む一覧としてポータルサイトをＨＴＭＬ形式で作成する。
【００３０】
本実施の形態では、電子番組表生成部２２が請求項に記載されたＥＰＧ情報生成手段に相当し、同様にマルチプレクサ２４が多重化手段、送信部２５が送信手段、チューナ１１が受信復調手段、多重分離部１２が抽出手段、入出力情報制御部１９、計測器制御部１７が計測器制御手段、ネットワーク入出力部１３、２１、３１、４１がネットワーク制御手段、切替・合成部２４、表示部２５及びＣＲＴ２６が表示手段、リモコン信号受信部１８がリモコン信号受信手段、データ処理部３２が感情パラメータ算出手段、データ蓄積部３３が感情パラメータ保存手段、ポータルサイト表示部４２がポータルサイト表示手段、ポータルサイト作成部４３がポータルサイト作成手段に相当する。
【００３１】
ここで、図４を用いて選局装置１００の入出力情報制御部１９の構成について説明する。
【００３２】
入出情報制御部１９は、ＣＰＵ１９ａと、プログラムＲＯＭ１９ｂと、ワークＲＡＭ１９ｃと、計測器制御手段１９ｄと、ネットワーク制御手段１９ｅと、切替・合成手段１９ｆと、電子番組表処理手段１９ｇと、ブラウザ処理手段１９ｈから構成される。
【００３３】
ＣＰＵ１９ａは、入出力情報制御部１９を介する全ての情報の制御を行う。プログラムＲＯＭ１９ｂは、ＣＰＵ１９ａに接続された各手段（１９ｂ乃至１９ｈ）を制御するためのコンピュータプログラムを格納しており、ＣＰＵ１９ａがデータの書き込み、読み出し、検索等の制御を行う際に使用される。ワークＲＡＭ１９ｃは、ＣＰＵ１９ａが一時的に情報を格納するメモリであり、ＥＰＧ情報や計測結果を保持する。  ネットワーク制御手段１９ｅは、ネットワーク入出力部１３へのＵＲＬアクセス要求があった場合にネットワーク入出力信号を制御する。切替・合成手段１９ｆは、切替・合成部１４との間で映像信号及び／又はデータからなる情報の受け渡しを行う。電子番組表処理手段１９ｇは、映像データに重畳されたＥＰＧ情報から電子番組表を生成する。
【００３４】
ブラウザ処理手段１９ｈは、ＨＴＭＬのタグに従ってレイアウトを再現し、文字や画像、動画、音声などを再生する。
【００３５】
次に、テレビ放送番組と連動するホームページを自動的に表示する動作について図５及び図６を用いて説明する。図５は、人体の生物学的データを収集して視聴者の番組選局に利用するための制御手順を示すフローチャートであり、図６は、感情パラメータの一例を示す図である。
【００３６】
まず、テレビジョン信号送信装置２００もしくはインターネット放送ポータル用装置が、少なくとも感情パラメータを含むＥＰＧ情報を映像信号に多重化し、テレビジョン放送信号として選局装置１００へ送信する（Ｓ５０１）。ここで、送信するＥＰＧ情報は、図６（ａ）に示すように、番組ＩＤ、放送局ＩＤ、開始時刻、終了時刻、放送配信元ＵＲＬ、計測データ分析装置ＵＲＬ及び感情パラメータを含んでいる。視聴者からの要求に従って放送されるオンデマンド放送の場合は開始時刻、終了時刻は番組の視聴にかかる時間に置き換えられる。
【００３７】
選局装置２００は、チューナ１１においてテレビジョン放送信号を受信復調し、多重分離部１２において、少なくとも感情パラメータを含むＥＰＧ情報を抽出する（Ｓ５０２）。インターネット放送ポータル用装置からのテレビジョン信号装置の場合は選局装置１００から放送の送信要求を受けたテレビジョン信号送信装置２００は、インターネットを伝送路とする所定のテレビジョン放送信号を送信し、選局装置１００のネットワーク入出力部１３で受信する。受信したテレビジョン放送信号は入出力情報制御部１９で復調され、少なくとも感情パラメータを含むＥＰＧ情報を抽出する（Ｓ５０２）。また計測器制御部は選局装置に接続された脳波計１０１や血圧計１０２などの計測器の制御を行い、生物学的データを収集する（Ｓ５０３）。
【００３８】
そして、入出力情報制御部１９において、計測器から取得した生物学的データを時系列にワークＲＡＭ１９ｃに保存する（Ｓ５０４）。ここで、図６（ｂ）は生物学的データの計測結果の一例である。
【００３９】
上記処理後、計測結果を計測データ分析装置３００に送信する（Ｓ５０５）。
【００４０】
計測データ分析装置３００のデータ処理部３２では送信された生物学的データの計測結果を年齢／性別に分類し、番組の経過時間ごとに平均して、図６（ｃ）の生物学的データの時系列毎の推移表を作成して、データ蓄積部３３に保存する。既に表が存在する場合は、送信したデータを加算後に平均し保存された表を更新する。前述の生物学的データの時系列毎の推移表によって、番組視聴中の一般的な生物学的データの推移が分かるようになる。前述の生物学的データの推移表から、放送番組の視聴前と視聴後との生物学的データの差を算出して、図６（ｄ）の感情パラメータ分類表と生物学的データの推移表との差の比較を行い、推移表を分類表のいずれかに分類して、感情パラメータを決定する。（Ｓ５０６）
上記処理後、データ蓄積部３３に蓄積した表をテレビジョン信号送出装置２００またはインターネット放送ポータル用装置４００に送信する（Ｓ５０７）。テレビジョン信号送出装置２００に送信された場合は図６（ａ）のように少なくとも感情パラメータを含むＥＰＧ情報を作成する（Ｓ５０８）。インターネット放送ポータル用装置４００に送信された場合、感情パラメータを番組検索する際の検索キーとして付加する（Ｓ５０９）。
【００４１】
【発明の効果】
以上説明したように、本発明のテレビジョン信号送受信システムによれば、視聴者は番組選択の際に選局装置のＥＰＧ表示または番組の映像表示中にアイコン表示される感情パラメータを利用することにより視聴者はその時の体調や感情にあった番組選局を簡単に行うことが可能になる。
【００４２】
また検索キーを利用して、放送波もしくはインターネットの番組から、体調や感情にあった番組を検索することが可能になる。
【図面の簡単な説明】
【図１】本発明の実施の形態によるテレビジョン信号送受信システムの構成を示すブロック図
【図２】同実施の形態の選局装置１００の構成を示す図
【図３】同実施の形態のテレビジョン信号送信装置２００と、計測データ分析装置３００と、インターネット放送ポータル用装置４００の構成を示す図
【図４】同実施の形態の選局装置１００の入出力情報制御部１９の構成を示す図
【図５】同実施の形態の感情パラメータを利用した電子番組表またはポータルサイトを作成するための制御手順を示すフローチャート
【図６】（ａ）同実施の形態のＥＰＧ情報の一例図
（ｂ）同実施の形態の生物学的データの計測結果の一例図
（ｃ）同実施の形態の生物学的データの時系列毎の推移表の一例図
（ｄ）同実施の形態の感情パラメータ分類表の一例図
【符号の説明】
１１  チューナ
１２  多重分離部
１３  ネットワーク入出力部
１４  切替・合成部
１５  表示部
１６  ＣＲＴ
１７  計測器制御部
１８  リモコン信号受信部
１９  入出力情報制御部
２１  ネットワーク入出力部
２２  電子番組表生成部
２３  テレビジョン信号発生部
２４  マルチプレクサ
２５  送信部
３１  ネットワーク入出力部
３２  データ処理部
３３  データ蓄積部
４１  ネットワーク入出力部
４２  ポータルサイト表示部
４３  ポータルサイト作成部
１９ａ  ＣＰＵ
１９ｂ  プログラムＲＯＭ
１９ｃ  ワークＲＡＭ
１９ｄ  計測器制御手段
１９ｅ  ネットワーク制御手段
１９ｆ  切替・合成手段
１９ｇ  ブラウザ処理手段
１９ｈ  ブラウザ処理手段
１００  選局装置
２００  テレビジョン信号送信装置
３００  計測データ分析装置
４００  インターネット放送ポータル用装置
【図１】
2004357173.tif 000003
【図２】
2004357173.tif 000004
【図３】
2004357173.tif 000005
【図４】
2004357173.tif 000006
【図５】
2004357173.tif 000007
【図６】
2004357173.tif 000008